(57)【要約】【課題】扱胴の重量化を抑制しつつ、かつ、扱胴を容易に製作できるようにしつつ、剛性が高い扱胴を得る。【解決手段】掻込み部３０の後側に扱き処理部４０が設けられている。扱き処理部４０において、扱胴支軸１９に、前支持部材４１、中間支持部材４３ｂ、後支持部材４２が支持されている。前支持部材４１と中間支持部材４３ｂとに複数の前側分割扱歯支持部材４５ａが扱き処理部４０の周方向に同じ配列ピッチで並ぶ状態で支持されている。中間支持部材４３ｂと後支持部材４２とに複数の後側分割扱歯支持部材４５ｂが扱き処理部４０の周方向に同じ配列ピッチで並ぶ状態で支持されている。各前側分割扱歯支持部材４５ａ及び各後側分割扱歯支持部材４５ｂに複数の棒状の扱歯４４が支持されている。前側分割扱歯支持部材４５ａの配列と後側分割扱歯支持部材４５ｂの配列とが異なっている。【選択図】図２
2019208392.tif 000002
【特許請求の範囲】
【請求項１】
収穫された作物の全体が投入される扱室に前記扱室の前後方向に沿う姿勢で回転可能に設けられる扱胴支軸と、前記扱胴支軸の前部に支持され、投入された作物を前記扱室の後方に向けて掻き込む掻込み部と、前記扱胴支軸のうちの前記掻込み部よりも後側の部分に支持され、前記掻込み部によって掻き込まれた作物を扱き処理する扱き処理部と、が備えられ、
前記扱き処理部に、前記扱胴支軸に支持される前支持部材と、前記扱胴支軸のうちの前記前支持部材よりも後側の部分に支持される後支持部材と、前記扱胴支軸のうちの前記前支持部材と前記後支持部材との間の部分に支持される中間支持部材と、前記扱胴支軸に沿った状態、かつ、前記扱き処理部の周方向に間隔を空けた状態で前記前支持部材、前記中間支持部材及び前記後支持部材に支持される複数の棒状の扱歯支持部材と、前記複数の扱歯支持部材それぞれにおいて、前記扱歯支持部材から前記扱き処理部の径方向外側に向けて突出する状態、かつ、前記扱胴支軸に沿った方向に間隔を空けた状態で前記扱歯支持部材に支持された複数の棒状の扱歯と、が備えられ、
前記複数の扱歯支持部材それぞれは、前記中間支持部材よりも前側に位置する前側分割扱歯支持部材と、前記中間支持部材よりも後側に位置する後側分割扱歯支持部材とに分割されており、
前記扱き処理部の周方向において、前記複数の前側分割扱歯支持部材の配列ピッチが同じであり、前記複数の後側分割扱歯支持部材の配列ピッチが同じであり、前記前側分割扱歯支持部材の配列と前記後側分割扱歯支持部材の配列とが異なっている扱胴。
【請求項２】
前記前側分割扱歯支持部材、及び、前記後側分割扱歯支持部材は、等しい扱胴前後方向長さを有し、
前記前側分割扱歯支持部材と前記後側分割扱歯支持部材との入れ替えが可能である請求項１に記載の扱胴。
【請求項３】
前記前支持部材、前記中間支持部材、及び、前記後支持部材のそれぞれは、前記扱胴支軸に溶接された内周側支持部材と、前記内周側支持部材に脱着可能に支持されて、前記扱歯支持部材を支持する外周側支持部材と、を備えている請求項１または２に記載の扱胴。
【請求項４】
前記中間支持部材において、
前記内周側支持部材の外周側部分に前記外周側支持部材を支持する支持部が備えられ、
前記内周側支持部材の内周側部分に前記扱胴支軸に溶接によって連結される連結部が備えられ、
前記連結部は、前記支持部から、前記扱胴支軸に沿う方向に離れた２つの溶接箇所に広がる形状に形成されている請求項３に記載の扱胴。
【請求項５】
前記外周側支持部材は、前記扱胴支軸及び前記内周側支持部材が挿通する貫通穴を有し、
前記内周側支持部材の外周形状と、前記貫通穴の形状とが相似した非真円形状に形成され、
前記内周側支持部材を前記貫通穴に通して、前記内周側支持部材と前記外周側支持部材とを相対回転させた状態において、前記外周側支持部材のうち、前記支持部と重複する部位に、前記支持部に固定される固定部が備えられている請求項４に記載の扱胴。
【請求項６】
前記前支持部材、前記中間支持部材、及び、前記後支持部材において、
前記外周側支持部材が前記扱き処理部の径方向に分割可能に構成されている請求項３または４に記載の扱胴。
【請求項７】
前記後支持部材の外径が前記中間支持部材の外径よりも小さい請求項１から６のいずれか一項に記載の扱胴。
【発明の詳細な説明】
【技術分野】
【０００１】
本発明は、収穫された作物の全体が投入される扱室に前記扱室の前後方向に沿う姿勢で回転可能に設けられる扱胴支軸と、前記扱胴支軸の前部に支持され、投入された作物を前記扱室の後方に向けて掻き込む掻込み部と、前記扱胴支軸のうちの前記掻込み部よりも後側の部分に支持され、前記掻込み部によって掻き込まれた作物を扱き処理する扱き処理部と、が備えられた扱胴に関する。
【背景技術】
【０００２】
上記した扱胴において、例えば特許文献１に示されるように、いわゆるバー形の扱胴に構成されたものがある。
すなわち、扱き処理部に、扱胴支軸に沿った状態の複数の棒状の扱歯支持部材が扱き処理部の周方向に間隔を空けた状態で備えられている。複数の扱歯支持部材それぞれにおいて、複数の棒状の扱歯が扱歯支持部材から扱き処理部の径方向外側に向けて突出する状態、かつ、扱胴支軸に沿った方向に間隔を空けた状態で扱歯支持部材に支持されている。この扱胴は、掻込み部からの脱穀処理物が扱歯支持部材及び扱歯による打撃や扱歯の梳き込みなどによって脱穀処理されることを可能にされたものである。
【先行技術文献】
【特許文献】
【０００３】
【特許文献１】特開２０１７−１７６０５２号公報
【発明の概要】
【発明が解決しようとする課題】
【０００４】
従来の技術を基に得た扱胴の場合、各扱歯支持部材が扱歯支持部材の前端から後端に至るまで一本物の扱歯支持部材になるので、扱胴に強い脱穀反力が作用しても、扱歯支持部材が撓んだり、変形したりして脱穀不良の原因にならないように、扱胴の剛性を高めると、重くなる。扱胴の前後長さを長くするほど、扱歯支持部材の長さが長くなるので、剛性をより高くする必要があり、より重くなる。
【０００５】
本発明は、扱胴の重量化を抑制しつつ、かつ、扱胴を容易に製作できるようにしつつ、剛性が高い扱胴を提供する。
【課題を解決するための手段】
【０００６】
本発明による扱胴は、
収穫された作物の全体が投入される扱室に前記扱室の前後方向に沿う姿勢で回転可能に設けられる扱胴支軸と、前記扱胴支軸の前部に支持され、投入された作物を前記扱室の後方に向けて掻き込む掻込み部と、前記扱胴支軸のうちの前記掻込み部よりも後側の部分に支持され、前記掻込み部によって掻き込まれた作物を扱き処理する扱き処理部と、が備えられ、前記扱き処理部に、前記扱胴支軸に支持される前支持部材と、前記扱胴支軸のうちの前記前支持部材よりも後側の部分に支持される後支持部材と、前記扱胴支軸のうちの前記前支持部材と前記後支持部材との間の部分に支持される中間支持部材と、前記扱胴支軸に沿った状態、かつ、前記扱き処理部の周方向に間隔を空けた状態で前記前支持部材、前記中間支持部材及び前記後支持部材に支持される複数の棒状の扱歯支持部材と、前記複数の扱歯支持部材それぞれにおいて、前記扱歯支持部材から前記扱き処理部の径方向外側に向けて突出する状態、かつ、前記扱胴支軸に沿った方向に間隔を空けた状態で前記扱歯支持部材に支持された複数の棒状の扱歯と、が備えられ、前記複数の扱歯支持部材それぞれは、前記中間支持部材よりも前側に位置する前側分割扱歯支持部材と、前記中間支持部材よりも後側に位置する後側分割扱歯支持部材とに分割されており、前記扱き処理部の周方向において、前記複数の前側分割扱歯支持部材の配列ピッチが同じであり、前記複数の後側分割扱歯支持部材の配列ピッチが同じであり、前記前側分割扱歯支持部材の配列と前記後側分割扱歯支持部材の配列とが異なっている。
【０００７】
本構成によると、前側分割扱歯支持部材及び後側分割扱歯支持部の長さが扱歯支持部材全体の長さよりも短くなるので、かつ、前側分割扱歯支持部材は、前支持部材と中間支持部材とによって前後両端部で支持され、後側分割扱歯支持部材は、中間支持部材と後支持部材とによって前後両端部で支持されるので、扱胴全体としては、扱歯支持部材全体が一本物である扱歯支持部材と同程度の強度を備えるように構成しても、扱胴全体としての重量を扱歯支持部材全体が一本物である扱胴の重量よりも軽くできる。
【０００８】
前側分割扱歯支持部材を支持させるための中間支持部材の部分と、後側分割扱歯支持部材を支持させるための中間支持部材の部分とが扱き処理部の周方向に位置ずれするので、前側分割扱歯支持部材及び後側分割扱歯支持部材のそれぞれを中間支持部材に連結する作業を行い易い。
【０００９】
従って、扱胴が重くなるのを抑制しつつ、かつ、扱胴を容易に製作できるようにしつつ、剛性が高い扱胴を得られる。
【００１０】
また、前側分割扱歯支持部材と後側分割扱歯支持部材とが扱き処理部の周方向に位置ずれするので、脱穀処理物が扱き処理部のうちの前側分割扱歯支持部材を有する部分から後側分割扱歯支持部材を有する部分に移行したとき、後側分割扱歯支持部材や、後側分割扱歯支持部材に支持される扱歯による打撃や梳き作用を受け易くて効果的に脱穀される。
【００１１】
本発明においては、前記前側分割扱歯支持部材、及び、前記後側分割扱歯支持部材は、等しい扱胴前後方向長さを有し、前記前側分割扱歯支持部材と前記後側分割扱歯支持部材との入れ替えが可能であると好適である。
【００１２】
本構成によると、たとえば前側分割扱歯支持部材に支持される扱歯が後側分割扱歯支持部材に支持される扱歯よりも多く摩滅した場合、前側分割扱歯支持部材と後側分割扱歯支持部材とを入れ替えることによって応急処置をできるなど便利である。
【００１３】
本発明においては、前記中間支持部材は、前記扱胴支軸に溶接された内周側支持部材と、前記内周側支持部材に脱着可能に支持されて、前記扱歯支持部材を支持する外周側支持部材と、を備えていると好適である。
【００１４】
本構成によると、中間支持部材を内周側支持部材と外周側支持部材とに分けて扱胴支軸に取付けることができるなど有利なものでありながら、内周側支持部材の扱胴支軸への溶接によって、中間支持部材が扱胴支軸にしっかり支持される。
【００１５】
本発明においては、前記中間支持部材において、前記内周側支持部材の外周側部分に前記外周側支持部材を支持する支持部が備えられ、前記内周側支持部材の内周側部分に前記扱胴支軸に溶接によって連結される連結部が備えられ、前記連結部は、前記支持部から、前記扱胴支軸に沿う方向に離れた２つの溶接箇所に広がる形状に形成されていると好適である。
【００１６】
本構成によると、内周側支持部材が扱胴支軸に対して扱胴軸芯方向での広い範囲にわたって連結されるので、中間支持部材が扱胴支軸によりしっかり支持される。
【００１７】
本発明においては、前記内周側支持部材の外周側部分に前記外周側支持部材を支持する支持部が備えられ、前記外周側支持部材は、前記扱胴支軸及び前記内周側支持部材が挿通する貫通穴を有し、前記内周側支持部材の外周形状と前記貫通穴の形状とが、相似した非真円形状に形成され、前記外周側支持部材のうち、前記内周側支持部材を前記貫通穴に通して前記内周側支持部材と前記外周側支持部材とを相対回転させた状態において前記支持部と重複する部位に、前記支持部に固定される固定部が備えられていると好適である。
【００１８】
本構成によると、外周側支持部材を扱胴支軸から取り外す場合、支持部に対する固定を解除した外周側支持部材と内周側支持部材とを相対回転させて支持部と固定部との重複を解除すると、外周側支持部材と内周側支持部材とを扱胴支軸に沿う方向に相対移動させることにより、内周側支持部材が外周側支持部材の貫通穴を通り抜けて、取り外し易い。外周側支持部材を扱胴支軸に取付ける場合、外周側支持部材と内周側支持部材とを扱胴支軸に沿う方向に相対移動させて内周側支持部材が外周側支持部材の貫通穴を通り抜けると、外周側支持部材と内周側支持部材とを相対回転させることにより、支持部と固定部とが重複して固定部を支持部に固定できて、取付け易い。
【００１９】
本発明においては、前記前支持部材、前記中間支持部材、及び、前記後支持部材において、前記外周側支持部材が前記扱き処理部の径方向に分割可能に構成されていると好適である。
【００２０】
本構成によると、前支持部材、中間支持部材及び後支持部材のそれぞれにおいて、外周側支持部材を扱胴支軸に対して脱着するのに、分割外周側支持部材に分けて内周側支持部材に取付けたり、内周側支持部材から取り外したりできるので、脱着し易い。
【００２１】
本発明においては、前記後支持部材の外径が前記中間支持部材の外径よりも小さいと好適である。
【００２２】
本構成によると、扱室の後部に形成される排塵口を後支持部材の小外径によって広く開口でき、脱穀塵埃がスムーズに排出されるようにできる。
【図面の簡単な説明】
【００２３】
【図１】コンバインの全体を示す左側面図である。
【図２】脱穀部を示す縦断側面図である。
【図３】図２のＩＩＩ−ＩＩＩ断面矢視図である。
【図４】図２のＩＶ−ＩＶ断面矢視図である。
【図５】図２のＶ−Ｖ断面矢視図である。
【図６】図３のＶＩ−ＶＩ断面矢視図である。
【図７】別の実施構造を備える連結部を示す断面図である。
【図８】別の実施構造を備える中間支持部材を示す正面図である。
【発明を実施するための形態】
【００２４】
以下、本発明の一例である実施形態を図面に基づいて説明する。
なお、以下の説明では、普通型のコンバインの機体に関し、図１に示される矢印Ｆの方向を「機体前方」、矢印Ｂの方向を「機体後方」、矢印Ｕの方向を「機体上方」、矢印Ｄの方向を「機体下方」とする。
【００２５】
〔コンバインの全体の構成について〕
図１に示されるように、普通型のコンバインは、機体フレーム１、機体フレーム１の前部に駆動可能に装備された左右一対の前車輪２、機体フレーム１の後部に操向可能に装備された左右一対の後車輪３を有する機体を備えている。機体の前部に搭乗運転部４が形成されている。搭乗運転部４には、搭乗空間を覆うキャビン５が備えられている。機体フレーム１の前端部には、作業走行時に機体の前方に位置する水稲や麦あるいは菜種などの作物の穀稈を刈り取って搬送する刈取搬送部６が連結されている。刈取搬送部６は、機体左右向きの昇降軸芯Ｐを支点にした昇降揺動が可能な状態で連結されている。刈取搬送部６の昇降揺動は、機体フレーム１とフィーダ７にわたって架設された油圧式の昇降シリンダ８の伸縮作動で行われる。機体フレーム１の後部には、刈取搬送部６が搬送する刈り取り後の穀稈を脱穀対象物として受け入れて脱穀処理し、脱穀処理後の処理物に選別処理を施す脱穀装置９が設けられている。脱穀装置９における前部の上方に、脱穀装置９から搬送された単粒化穀粒を回収して貯留する穀粒タンク１０が設けられている。穀粒タンク１０の下部には、貯留された穀粒を排出するスクリューコンベヤ１１が接続されている。脱穀装置９における後部の上方に、エンジンを有する原動部１２が形成されている。
【００２６】
〔刈取搬送部６の構成について〕
刈取搬送部６においては、機体の走行に伴って、左右のデバイダ１３によって未刈り穀稈が収穫対象の穀稈と収穫対象外の穀稈とに梳き分けられる。又、刈取搬送部６の前部上方に配備された回転リール１４によって収穫対象穀稈の穂先側が後方に向けて掻き込まれる。掻き込まれた穀稈の株元がバリカン型の刈取装置１５によって切断されて、収穫対象の穀稈が刈り取られる。そして、刈取装置１５の後方に配備された横送オーガ１６によって刈取り穀稈がフィーダ７の前側箇所に寄せ集められる。寄せ集められた刈取り穀稈の株元から穂先までの全体がフィーダ７によって脱穀装置９に投入される。
【００２７】
〔脱穀装置９の構成について〕
脱穀装置９及び扱胴１７の説明にあたり、脱穀装置９及び扱胴１７の処理始端側［穀稈投入側（図２の紙面左側）］が「前」とし、脱穀装置９及び扱胴１７の処理終端側［穀稈排出側（図２の紙面右側）］が「後」とする。
【００２８】
図２に示されるように、脱穀装置９には、フィーダ７が投入する作物としての刈取り穀稈を脱穀処理物として、この脱穀処理物に脱穀処理を施す脱穀部９Ａが備えられている。図示しないが、脱穀部９Ａの下方に、脱穀処理後の処理物に選別処理を施す選別部が設けられている。この脱穀装置９において、脱穀部９Ａにおける脱穀処理方向が機体の前後方向と一致し、脱穀処理方向の上手側が機体の前側に位置するように設定してある。
【００２９】
図２に示されるように、脱穀部９Ａには、脱穀装置９の上部に形成された扱室１８が備えられている。扱室１８には、扱胴１７が設けられている。扱胴１７は、扱胴支軸１９を回転中心Ｙにして、正面視右回り方向Ｒ（図３，４，５参照）に回転駆動される。扱室１８の前下部には、脱穀処理物の扱室１８への投入を可能にする供給口２０が形成されている。扱室１８の後下部には、脱穀排塵の扱室外への排出を可能にする排塵口２１が形成されている。扱胴１７の周囲のうちの扱胴１７の下方の領域に受網２２が装備されている。
【００３０】
扱室１８は、扱胴１７を支持する前支持壁２３と後支持壁２４、扱胴１７の上方に設けられた天板２５、及び受網２２などによって区画形成されている。天板２５の内側に扱室１８の前後方向に並ぶ複数の送塵弁２６が設けられている。扱胴１７は、図２に示されるように、扱胴１７の前部に設けられた掻込み部３０と、扱胴１７のうち、掻込み部３０の後側の部位に設けられた扱き処理部４０とを備えている。
【００３１】
脱穀部９Ａにおいては、フィーダ７によって供給口２０から扱室１８に投入された刈取り穀稈の株元から穂先までの全体が脱穀処理物として掻込み部３０によって扱室１８の内部側に掻き込まれて扱き処理部４０と受網２２とによって脱穀処理される。脱穀処理される脱穀処理物は、回転する扱き処理部４０によって回動力を付与されて送塵弁２６に当り、送塵弁２６によって扱室１８の後方に向けて流れるように案内される。脱穀処理物は、扱き処理部４０によって扱室１８の後方に向けて移送されつつ脱穀処理される。脱穀処理によって得た穀粒が受網２２から漏下する。脱穀処理によって発生した脱穀排稈や切れワラなどが排塵口２１から扱室１８の外部へ排出される。
【００３２】
〔扱胴１７の構成について〕
扱胴１７は、図２に示されるように、扱室１８の前後方向に沿う姿勢で扱室１８に設けられ、扱胴軸芯を回転中心Ｙとして回転駆動される扱胴支軸１９と、扱胴支軸１９の前部に支持されている掻込み部３０と、扱胴支軸１９のうち、掻込み部３０よりも後側の部分に支持されている扱き処理部４０とを備えている。
【００３３】
〔掻込み部３０の構成について〕
掻込み部３０は、図２に示されるように、扱胴１７の前端側ほど小径である基台部３１と、基台部３１の外周部から基台部３１の外側に向かって立ち上がる状態で基台部３１の外周部に設けられた螺旋羽根３２とを備えている。２つの螺旋羽根３２が備えられている。２つの螺旋羽根３２は、基台部３１の周方向に間隔を空けて並んだ２重螺旋状で、基台部３１の後端部から先端部に亘って設けられている。
【００３４】
基台部３１は、円錐台状に巻かれた板金部材によって構成されている。基台部３１の前端部と、扱胴支軸１９とに亘って円板部材３３が連結されている。基台部３１の後端部と、扱胴支軸１９とに亘って前支持部材４１が連結されている。基台部３１は、円板部材３３及び前支持部材４１を介して扱胴支軸１９に支持されている。
【００３５】
掻込み部３０においては、基台部３１が円板部材３３及び前支持部材４１を介して扱胴支軸１９によって駆動されて、２つの螺旋羽根３２が扱胴軸芯を回転中心にして回転駆動される。フィーダ７によって供給口２０から扱室１８に投入された刈取穀稈の株元から穂先までの全体が回転する螺旋羽根３２によって案内底板３４（図２参照）に沿わせて扱室１８の後方に向けて掻き込まれる。
【００３６】
〔扱き処理部４０の構成について〕
扱き処理部４０には、図２に示されるように、扱胴支軸１９のうち、掻込み部３０の後部に対応する部分に相対回転不能に支持される前支持部材４１、扱胴支軸１９のうちの前支持部材４１よりも後側の部分に相対回転不能に支持される後支持部材４２、扱胴支軸１９のうち、前支持部材４１と後支持部材４２との間の部分に相対回転不能に支持される３つの中間支持部材４３が備えられている。３つの中間支持部材４３は、扱胴支軸１９の前後方向に間隔を空けて並んでいる。後支持部材４２の外径Ｄ１は、３つの中間支持部材４３の外径Ｄ２よりも小さく設定されている。後支持部材４２の外径Ｄ１が中間支持部材４３の外径Ｄ２と同じであるのに比べ、排塵口２１を広く形成できる。以下において、３つの中間支持部材４３のうち、最も前側の中間支持部材４３を第１の中間支持部材４３ａと呼称し、３つの中間支持部材４３のうち、中間の中間支持部材４３を第２の中間支持部材４３ｂと呼称し、３つの中間支持部材４３のうち、最も後の中間支持部材４３を第３の中間支持部材４３ｃと呼称する。
【００３７】
扱き処理部４０は、第２の中間支持部材４３ｂよりも前側に位置する６本の前側分割扱歯支持部材４５ａを有する前側扱き処理部４０Ｆと、第２の中間支持部材４３ｂよりも後側に位置する６本の後側分割扱歯支持部材４５ｂを有する後側扱き処理部４０Ｒと、を備えている。前側分割扱歯支持部材４５ａ及び後側分割扱歯支持部材４５ｂは、前支持部材４１と後支持部材４２とに亘る前後長さを有する一本物の扱歯支持部材を第２の中間支持部材４３ｂに対応する位置で前後方向に２分割されたものである。
【００３８】
前側扱き処理部４０Ｆは、扱胴支軸１９に支持され、扱胴支軸１９によって回転駆動される前側扱胴本体１７Ｆを備えている。扱胴１７の前側外周面としての前側扱胴本体１７Ｆの外周面に、複数の棒状の扱歯４４が設けられている。複数の扱歯４４は、扱胴支軸１９に沿う方向に間隔を空けて並ぶ状態で、かつ扱胴１７の周方向に間隔を空けて並ぶ状態で設けられている。各扱歯４４は、前側扱胴本体１７Ｆの外周面から扱胴径方向外側に向けて突出している。
【００３９】
前側扱胴本体１７Ｆは、図２，３，５に示されるように、扱胴支軸１９に沿った状態で、かつ、扱き処理部４０の周方向に間隔を空けて並んだ状態で前支持部材４１、第１の中間支持部材４３ａ及び第２の中間支持部材４３ｂに支持された６本の前側分割扱歯支持部材４５ａを備えている。６本の前側分割扱歯支持部材４５ａは、図３，５に示されるように、６本の前側分割扱歯支持部材４５ａの扱き処理部４０の周方向での配列ピッチ４６ａが同じになる状態で支持されている。すなわち、６本の前側分割扱歯支持部材４５ａは、扱き処理部４０の周方向に等間隔で並んでいる。６本の前側分割扱歯支持部材４５ａそれぞれには、図２に示されるように、複数の棒状の扱歯４４が扱胴支軸１９に沿った方向に間隔を空けた状態で支持されている。各前側分割扱歯支持部材４５ａの扱歯４４は、図３，５に示されるように、前側分割扱歯支持部材４５ａから扱き処理部４０の径方向外側に向けて突出している。
【００４０】
各前側分割扱歯支持部材４５ａの前端側が前支持部材４１の外周部に支持され、各前側分割扱歯支持部材４５ａの中間部が第１の中間支持部材４３ａの外周部に支持され、各前側分割扱歯支持部材４５ａの後端側が第２の中間支持部材４３ｂの外周部に支持されている。各前側分割扱歯支持部材４５ａは、前支持部材４１、第１の中間支持部材４３ａ及び第２の中間支持部材４３ｂを介して扱胴支軸１９に相対回転不能に支持されている。６本の前側分割扱歯支持部材４５ａに外接する円筒面が前側扱胴本体１７Ｆの外周面になっている。
【００４１】
具体的には、前側分割扱歯支持部材４５ａの前端部は、前支持部材４１の後向きの側面に板状の連結部材を介して連結されている。前側分割扱歯支持部材４５ａの中間部は、図３に示されるように、第１の中間支持部材４３ａの凹入部４７に入り込ませ、板状の連結部材４８を介して第１の中間支持部材４３ａに連結されている。連結部材４８と前側分割扱歯支持部材４５ａとは、連結部材４８が前側分割扱歯支持部材４５ａにスライド可能に外嵌する状態で連結されている。連結部材４８と第１の中間支持部材４３ａとは、連結ボルトによって連結されている。前側分割扱歯支持部材４５ａの後端部は、図５に示されるように、第２の中間支持部材４３ｂの前向きの側面に板状の連結部材４９を介して連結されている。前側分割扱歯支持部材４５ａと連結部材４９とは、溶接によって連結されている。連結部材４９と第２の中間支持部材４３ｂは、連結ボルトによって連結されている。
【００４２】
後側扱き処理部４０Ｒは、扱胴支軸１９に支持され、扱胴支軸１９によって回転駆動される後側扱胴本体１７Ｒを備えている。扱胴１７の後側外周面としての後側扱胴本体１７Ｒの外周面に、複数の棒状の扱歯４４が扱胴支軸１９に沿う方向に間隔を空けて並ぶ状態で、かつ扱胴１７の周方向に間隔を空けて並ぶ状態で設けられている。各扱歯４４は、後側扱胴本体１７Ｒの外周面から扱胴径方向外側に向けて突出している。
【００４３】
後側扱胴本体１７Ｒは、図２，４，５に示されるように、扱胴支軸１９に沿った状態で、かつ扱き処理部４０の周方向に間隔を空けて並んだ状態で第２の中間支持部材４３ｂ、第３の中間支持部材４３ｃ及び後支持部材４２に支持された６本の棒状の後側分割扱歯支持部材４５ｂを備えている。６本の後側分割扱歯支持部材４５ｂは、図４，５に示されるように、６本の後側分割扱歯支持部材４５ｂの扱き処理部４０の周方向での配列ピッチ４６ｂが同じになる状態で支持されている。すなわち、６本の後側分割扱歯支持部材４５ｂは、扱き処理部４０の周方向に等間隔で並んでいる。６本の後側分割扱歯支持部材４５ｂそれぞれには、図２に示されるように、複数の棒状の扱歯４４が扱胴支軸１９に沿った方向に間隔を空けた状態で支持されている。各後側分割扱歯支持部材４５ｂの扱歯４４は、図４，５に示されるように、後側分割扱歯支持部材４５ｂから扱き処理部４０の径方向外側に向けて突出している。本実施形態では、前側分割扱歯支持部材４５ａの配列ピッチ４６ａと、後側分割扱歯支持部材４５ｂの配列ピッチ４６ｂとは、等しく設定されている。これに限らず、前側分割扱歯支持部材４５ａの配列ピッチ４６ａと、後側分割扱歯支持部材４５ｂの配列ピッチ４６ｂとが異なる構成を採用してもよい。
【００４４】
各後側分割扱歯支持部材４５ｂの前端側が第２の中間支持部材４３ｂの外周部に支持され、各後側分割扱歯支持部材４５ｂの中間部が第３の中間支持部材４３ｃの外周部に支持され、各後側分割扱歯支持部材４５ｂの後端側が後支持部材４２の外周部に支持されている。各後側分割扱歯支持部材４５ｂは、第２の中間支持部材４３ｂ、第３の中間支持部材４３ｃ及び後支持部材４２を介して扱胴支軸１９に相対回転不能に支持されている。６本の後側分割扱歯支持部材４５ｂに外接する円筒面が後側扱胴本体１７Ｒの外周面になっている。
【００４５】
具体的には、後側分割扱歯支持部材４５ｂの前端部は、図５に示されるように、第２の中間支持部材４３ｂの後向きの側面に板状の連結部材５０を介して連結されている。後側分割扱歯支持部材４５ｂの中間部は、図４に示されるように、第３の中間支持部材４３ｃの凹入部５１に入り込ませ、板状の連結部材５２を介して第３の中間支持部材４３ｃに連結されている。連結部材５２と後側分割扱歯支持部材４５ｂとは、連結部材５２が後側分割扱歯支持部材４５ｂにスライド可能に外嵌する状態で連結されている。連結部材５２と第３の中間支持部材４３ｃとは、連結ボルトによって連結されている。後側分割扱歯支持部材４５ｂの後端部は、後支持部材４２の前向きの側面に板状の連結部材を介して連結されている。後側分割扱歯支持部材４５ｂと連結部材とは、溶接によって連結されている。連結部材と後支持部材４２とは、連結ボルトによって連結されている。
【００４６】
前側分割扱歯支持部材４５ａ及び後側分割扱歯支持部材４５ｂは、同じ前後方向長さを有するよう構成されている。前側分割扱歯支持部材４５ａと後側分割扱歯支持部材４５ｂとを入れ替えて扱胴１７に取付けることが可能である。すなわち、前側分割扱歯支持部材４５ａを後側分割扱歯支持部材４５ｂに替えて第２の中間支持部材４３ｂ、第３の中間支持部材４３ｃ及び後支持部材４２に支持することが可能である。後側分割扱歯支持部材４５ｂを前側分割扱歯支持部材４５ａに替えて前支持部材４１、第１の中間支持部材４３ａ及び第２の中間支持部材４３ｂに支持することが可能である。
【００４７】
前側分割扱歯支持部材４５ａ及び後側分割扱歯支持部材４５ｂは、図５に示されるように、前側分割扱歯支持部材４５ａの扱き処理部４０の周方向での配列と、後側分割扱歯支持部材４５ｂの扱き処理部４０の周方向での配列とが異なる状態で扱胴１７に備えられている。すなわち、扱き処理部４０の周方向において、前側分割扱歯支持部材４５ａと後側分割扱歯支持部材４５ｂとが位置ずれしている。本実施形態では、図５に示されるように、扱胴１７の前後方向視において、前側分割扱歯支持部材４５ａと、この前側分割扱歯支持部材４５ａに対して扱胴回転方向下手側に隣り合う後側分割扱歯支持部材４５ｂとの間隔（回転方向下手側での間隔）が、前側分割扱歯支持部材４５ａと、この前側分割扱歯支持部材４５ａに対して扱胴回転方向上手側に隣り合う後側分割扱歯支持部材４５ｂとの間隔（回転方向上手側での間隔）に等しい状態で前側分割扱歯支持部材４５ａの配列と、後側分割扱歯支持部材４５ｂの配列とが異なる構成を採用している。本発明の構成のうち、「前側分割扱歯支持部材４５ａの配列と後側分割扱歯支持部材４５ｂの配列とが異なるとの構成」は、回転方向上手側での間隔と回転方向下手側での間隔とが等しいものに限らず、回転方向上手側での間隔と回転方向下手側での間隔とが異なるものも含む。
【００４８】
本実施形態では、前側分割扱歯支持部材４５ａ及び後側分割扱歯支持部材４５ｂが６本設けられているが、５本以下あるいは７本以上設けてもよい。本実施形態では、前側分割扱歯支持部材４５ａ及び後側分割扱歯支持部材４５ｂは、丸パイプ鋼材によって構成されている。前側分割扱歯支持部材４５ａ及び後側分割扱歯支持部材４５ｂには、丸パイプ鋼材の他、丸鋼材、角棒鋼材、角パイプ鋼材などの各種の棒状部材を採用することができる。また、前側分割扱歯支持部材４５ａ及び後側分割扱歯支持部材４５ｂには、アングル材やチャンネル材も採用可能である。本実施形態では、各扱歯は、丸鋼材によって構成されている。扱歯４４には、丸鋼材の他、角棒鋼材、丸パイプ材、各パイプ材など各種の棒状部材を採用することができる。
【００４９】
扱胴１７は、前側分割扱歯支持部材４５ａどうしの間、及び後側分割扱歯支持部材４５ｂどうしの間を介して扱室１８に連通する内部空間Ｓ１（図２参照）を内部に形成した籠状に構成し、かつ、扱胴１７の外周面から扱胴径方向外側に向けて突出する複数の扱歯４４を扱胴１７の周方向及び処理方向に間隔を空けて整列した状態で備えるように構成し、いわゆるバー形の扱胴に構成してある。
【００５０】
従って、扱胴１７は、処理方向の扱胴支軸１９を回転中心Ｙとして回転することにより、掻込み部３０からの脱穀処理物を、扱き処理部４０と受網２２との間に導入する。扱胴１７は、受網２２との間の扱き処理空間Ｓ２（図２参照）に位置する脱穀処理物に前側分割扱歯支持部材４５ａ、後側分割扱歯支持部材４５ｂ及び扱歯４４による打撃や扱歯４４の梳き込みなどによる脱穀処理を施し、この脱穀処理で得た処理物の内部空間Ｓ１への入り込みを許容し、扱き処理空間Ｓ２の処理物と内部空間Ｓ１の処理物とを撹拌しながら、これらの処理物に前側分割扱歯支持部材４５ａ、後側分割扱歯支持部材４５ｂ及び扱歯４４の打撃や扱歯４４の梳き込みなどによる脱穀処理を施す。
【００５１】
〔中間支持部材４３の構成について〕
第１の中間支持部材４３ａ及び第３の中間支持部材４３ｃは、図３，４に示されるように、同じ仕様を備えるよう構成されている。すなわち、第１の中間支持部材４３ａ及び第３の中間支持部材４３ｃそれぞれには、前側分割扱歯支持部材４５ａを入り込ませることが可能な凹入部４７、及び、後側分割扱歯支持部材４５ｂを入り込ませることが可能な凹入部５１が形成されている。第１の中間支持部材４３ａと第３の中間支持部材４３ｃとを入れ替えて扱胴支軸１９に支持することが可能である。
【００５２】
第１の中間支持部材４３ａ、第２の中間支持部材４３ｂ、第３の中間支持部材４３ｃのそれぞれには、図３，４，５に示されるように、内周側支持部材５３と、外周側支持部材５４とが備えられている。内周側支持部材５３が中心部で扱胴支軸１９に支持され、外周側支持部材５４が内周部で内周側支持部材５３の外周部に支持され、外周側支持部材５４の外周部に前側分割扱歯支持部材４５ａや後側分割扱歯支持部材４５ｂが支持されている。外周側支持部材５４は、内周側支持部材５３の前向きの側面に脱着可能に支持されている。これにより、第１の中間支持部材４３ａ、第２の中間支持部材４３ｂ、第３の中間支持部材４３ｃのそれぞれは、扱胴支軸１９に相対回転不能に支持され、前側分割扱歯支持部材４５ａや後側分割扱歯支持部材４５ｂを扱胴支軸１９による回転駆動が可能なように扱胴支軸１９に連結している。
【００５３】
具体的には、図３，４，５に示されるように、内周側支持部材５３には、中心部に形成された連結穴５５、内周側部分に形成された連結部５６が備えられている。内周側支持部材５３は、図３，４，５，６に示されるように、連結穴５５によって扱胴支軸１９に外嵌され、連結部５６が扱胴支軸１９に溶接によって連結されていることにより、扱胴支軸１９に相対回転不能に支持されている。図３，４，５に示されるように、内周側支持部材５３の外周形状が非真円形状としての４辺形状に形成され、内周側支持部材５３の外周側部分のうちの周方向での４箇所に支持部５７が形成されている。連結部５６は、図６に示されるように、支持部５７から扱胴支軸１９に向かって延び、扱胴支軸１９の軸芯に沿う方向に離れた２つの溶接箇所Ｗに広がる形状に形成されている。連結部５６と扱胴支軸１９との溶接による連結が扱胴支軸１９の軸芯方向での広い範囲において行われ、内周側支持部材５３は、扱胴支軸１９にしっかり支持される。本実施形態では、連結部５６は、扱胴支軸１９に沿う方向に重なり合った板材によって構成されている。２枚の板部材の膨出部によって構成される二股部によって２つの溶接箇所Ｗへ広がる形状が形成されている。
【００５４】
図３，４，５に示されるように、外周側支持部材５４の中心部に、内周側支持部材５３の挿通が可能な、かつ、内周側支持部材５３の外周形状に相似した４辺形状の貫通穴５８が形成されている。外周側支持部材５４の内周側部分のうちの周方向での４箇所に固定部５９が形成されている。４箇所の固定部５９は、外周側支持部材５４のうち、内周側支持部材５３を貫通穴５８に通して内周側支持部材５３と外周側支持部材５４とを扱胴軸芯を回転中心にして相対回転させた状態で内周側支持部材５３の４箇所の支持部５７が各別に重複する部位に備えられている。
【００５５】
第１の中間支持部材４３ａ、第２の中間支持部材４３ｂ、第３の中間支持部材４３ｃそれぞれにおいては、外周側支持部材５４を内周側支持部材５３に支持させるのには、固定部５９を支持部５７に連結するのであるが、次の如く連結操作を行うことによって連結する。
【００５６】
扱胴支軸１９と外周側支持部材５４とを前後方向に相対移動させる。すなわち、内周側支持部材５３が外周側支持部材５４の貫通穴５８を後側から前側へ通るように内周側支持部材５３と外周側支持部材５４とを相対移動させる。内周側支持部材５３が外周側支持部材５４の前側に位置すると、内周側支持部材５３と外周側支持部材５４とを相対回転させて内周側支持部材５３の４箇所の支持部５７と、外周側支持部材５４の４箇所の固定部５９とを各別に重複させる。重複した支持部５７と固定部５９とに連結ボルトを装着して固定部５９を支持部５７に固定することにより、外周側支持部材５４を内周側支持部材５３に連結する。
外周側支持部材５４を内周側支持部材５３から取り外す場合、連結操作の手順と逆の手順で取り外し操作を行う。
【００５７】
〔前支持部材４１の構成について〕
前支持部材４１には、図２に示されるように、扱胴支軸１９に支持される内周側支持部材６０と、内周側支持部材６０に脱着可能に支持され、前側分割扱歯支持部材４５ａを外周側部分で支持する外周側支持部材６１と、が備えられている。
【００５８】
具体的には、内周側支持部材６０は、中間支持部材４３の内周側支持部材５３の構成と同じ構成を備えている。外周側支持部材６１の中心部に、扱胴支軸１９が挿通し、内周側支持部材５３の外径よりも小さい穴径を有する円形の貫通穴が形成されている。内周側支持部材６０と外周側支持部材６１とは、内周側支持部材６０の連結部５６の中心側部分が外周側支持部材６１の貫通穴に入り込む状態で、かつ、内周側支持部材６０の外周部が外周側支持部材６１の後向き側面に当接される状態で連結ボルトによって連結されている。
【００５９】
〔後支持部材４２の構成について〕
後支持部材４２には、図２に示されるように、扱胴支軸１９に支持される内周側支持部材６２と、内周側支持部材６２に脱着可能に支持され、後側分割扱歯支持部材４５ｂを外周側部分で支持する外周側支持部材６３と、が備えられている。
【００６０】
具体的には、内周側支持部材６２は、中心部に形成された連結穴で扱胴支軸１９に外嵌され、連結穴の周辺で扱胴支軸１９に溶接されている。内周側支持部材６２の外周形状は、円形に形成されている。外周側支持部６３の中心部に、扱胴支軸１９が挿通し、内周側支持部材６２の外径よりも小さい穴径の貫通穴が形成されている。内周側支持部材６２と外周側支持部材６３とは、内周側支持部材６２の外周部が外周側支持部材６３の前向きの側面に当接される状態で連結ボルトによって連結されている。
【００６１】
〔別実施形態〕
（１）図７は、別の実施構造を備える連結部１５６を示す断面図である。別の実施構造を備える連結部１５６では、内周側支持部材５３の中心部に折り曲げ部分を備えることにより、連結部１５６を、支持部５７から、扱胴支軸１９に沿う方向に離れた２つの溶接箇所Ｗに広がる形状に形成されている。
【００６２】
（２）図８は、別の実施構造を備える中間支持部材１４３を示す正面図である。別の実施構造を備える中間支持部材１４３では、扱胴支軸１９に支持される内周側支持部材１５３と、内周側支持部材１５３に脱着可能に支持され、前側分割扱歯支持部材４５ａ及び後側分割扱歯支持部材４５ｂを支持する外周側支持部材１５４と、を備えている。
【００６３】
外周側支持部材１５４が扱き処理部４０の径方向に分割可能に構成されている。具体的には、外周側支持部材１５４は、分割線Ｌで２つの分割外周側支持部材１５４ａに分割可能に構成されている。このように、中間支持部材１４３において、外周側支持部材１５４を分割可能に構成する場合、前支持部材４１及び後支持部材４２においても、外周側支持部材を扱き処理部４０の径方向に分割可能に構成する。前支持部材４１、中間支持部材１４３及び後支持部材４２のそれぞれにおいて、外周側支持部材１５４を分割外周側支持部材１５４ａに分割した状態で内周側支持部材１５３から扱き処理部４０の径方向外側に向けて取り外したり、内周側支持部材１５３に対して扱き処理部４０の径方向外側から取付けたりすることができる。
【００６４】
（３）上記した実施形態では、内周側支持部材５３の外周形状、及び、外周側支持部材５４の貫通穴５８の形状の非真円形状として、４辺形状が採用された例を示したが、これに限らない。たとえば、長方形状、多角形状、長円形状、楕円形状などの採用が可能である。
【００６５】
（４）上記した実施形態では、前側分割扱歯支持部材４５ａ及び後側分割扱歯支持部材４５ｂが等しい前後方向長さを備えるよう構成された例を示したが、これに限らない。たとえば、第１の中間支持部材４３ａに対応する位置、あるいは、第３の中間支持部材４３ｃに対応する位置を扱歯支持部材の分割箇所に設定するなど、前側分割扱歯支持部材４５ａ及び後側分割扱歯支持部材４５ｂを異なる長さを備えるよう構成してもよい。
【００６６】
（５）上記した実施形態では、３つの中間支持部材４３が設けられた例を示したが、２つ以下、４つ以上の中間支持部材４３が設けられたものであってもよい。
【００６７】
（６）上記した実施形態では、前支持部材４１、中間支持部材４３及び後支持部材４２のそれぞれが内周側支持部材と、外周側支持部材とに分割可能に構成された例を示したが、分割不能に構成されたものであってもよい。
【００６８】
（７）上記した実施形態では、扱胴支軸１９に溶接によって連結された前支持部材４１、中間支持部材４３及び後支持部材４２を採用された例を示したが、これに限らず、扱胴支軸１９に連結ボルトなどによって連結されたものであってもよい。また、溶接によって連結されたものでは、連結部としては、２つの溶接箇所に広がる形状のものに限らず、どのような形状のものであってもよい。
【００６９】
（８）上記した実施形態では、外径が中間支持部材４３の外径よりも小さい後支持部材４２が採用された例を示したが、これに限らないものであってもよい。たとえば、中間支持部材の外径と後支持部材の外径が等しいものや、後支持部材の外径が中間支持部材に外径よりも大きいものであってもよい。
【産業上の利用可能性】
【００７０】
本発明は、掻込み部の他にバー形の扱き処理部だけが備えられた扱胴に限らず、ドラム形の扱き処理部、ラスプ扱歯形の扱き処理部がバー形の扱き処理部に合わせて備えられた扱胴に適用できる。
【符号の説明】
【００７１】
１８        扱室
１９        扱胴支軸
３０        掻込み部
４０        扱き処理部
４１        前支持部
４２        後支持部材
４３ｂ      中間支持部材
４４        扱歯
４５ａ      前側分割扱歯支持部材
４５ｂ      後側分割扱歯支持部材
４６ａ      配列ピッチ
４６ｂ      配列ピッチ
５３        中間支持部材の内側支持部材
５４        中間支持部材の外側支持部材
５６        連結部
５７        支持部
５８        貫通穴
５９        固定部
６０        前支持部材の内側支持部材
６１        前支持部材の外側支持部材
１５６      連結部
１４３      中間支持部材
１５３      内側支持部材
【図１】
2019208392.tif 000003
【図２】
2019208392.tif 000004
【図３】
2019208392.tif 000005
【図４】
2019208392.tif 000006
【図５】
2019208392.tif 000007
【図６】
2019208392.tif 000008
【図７】
2019208392.tif 000009
【図８】
2019208392.tif 000010